(57)【要約】【課題】待ち項目毎の売り上げや待ち時間を平準化して、利用効率を向上させる。【解決手段】施設における利用者の順番待ちを管理する順番管理システムであって、施設における順番待ち可能な待ち項目毎の順番待ち組数の情報を含む、順番待ち状況の情報を保持する順番待ちリスト記憶部と、施設における順番待ち可能な待ち項目を、待ち時間が短いものから順に並べて表示する待ち項目表示部と、表示された待ち項目の選択操作を受け付ける待ち項目指定部と、選択された待ち項目に対する順番待ち組数を追加し、順番待ち状況の情報を更新する順番待ちリスト更新部とを備える。【選択図】図３
2018139055.tif 000002
【特許請求の範囲】
【請求項１】
施設における利用者の順番待ちを管理する順番管理システムであって、
前記施設における順番待ち可能な待ち項目毎の順番待ち組数の情報を含む、順番待ち状況の情報を保持する順番待ちリスト記憶部と、
前記施設における順番待ち可能な待ち項目を、待ち時間が短いものから順に並べて表示する待ち項目表示部と、
表示された待ち項目の選択操作を受け付ける待ち項目指定部と、
選択された待ち項目に対する順番待ち組数を追加し、前記順番待ち状況の情報を更新する順番待ちリスト更新部と、を備えた順番管理システム。
【請求項２】
各待ち項目の前記待ち時間は、待ち項目毎の順番待ち組数に基づいて算出される、請求項１に記載の順番管理システム。
【請求項３】
施設における利用者の順番待ちを管理する順番管理装置であって、
前記施設における順番待ち可能な待ち項目を、待ち時間が短いものから順に並べて表示する待ち項目表示部と、
表示された待ち項目の選択操作を受け付ける待ち項目指定部と、を備えた順番管理装置。
【請求項４】
施設における順番待ちを管理するコンピュータを、
前記施設における順番待ち可能な待ち項目を、待ち時間が短いものから順に並べて表示する待ち項目表示部と、
表示された待ち項目の選択操作を受け付ける待ち項目指定部、として機能させるプログラム。
【発明の詳細な説明】
【技術分野】
【０００１】
本発明は、順番管理システム、順番管理装置、およびプログラムに関する。
【背景技術】
【０００２】
従来、レストランや店舗、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から順番待ち予約の申し込みをできることが記載されている。
【先行技術文献】
【特許文献】
【０００４】
【特許文献１】特開２００５−５０００２号公報
【発明の概要】
【発明が解決しようとする課題】
【０００５】
従来の順番管理システムにおいては、利用者が順番待ちを登録する画面では、常に同じ設定の画面が提示されていた。特に、順番待ちをする待ち項目の選択肢の並び順は利用者の行動に影響を与えやすく、初めの方に表示されている項目は選択されやすい傾向がある。このため、待ち項目の並び順が、項目毎の売り上げや待ち時間の長さに影響を与えていた。
【０００６】
本発明は、以上説明した事情を鑑みてなされたものであり、待ち項目毎の売り上げや待ち時間を平準化して、利用効率を向上させることを目的の一つとする。
【課題を解決するための手段】
【０００７】
本発明の一実施形態に係る順番管理システムは、施設における利用者の順番待ちを管理する順番管理システムであって、
前記施設における順番待ち可能な待ち項目毎の順番待ち組数の情報を含む、順番待ち状況の情報を保持する順番待ちリスト記憶部と、
前記施設における順番待ち可能な待ち項目を、待ち時間が短いものから順に並べて表示する待ち項目表示部と、
表示された待ち項目の選択操作を受け付ける待ち項目指定部と、
選択された待ち項目に対する順番待ち組数を追加し、前記順番待ち状況の情報を更新する順番待ちリスト更新部と、を備えたものである。
【０００８】
また、各待ち項目の前記待ち時間は、待ち項目毎の順番待ち組数に基づいて算出することができる。
【発明の効果】
【０００９】
本発明によれば、待ち項目毎の売り上げや待ち時間を平準化して、利用効率を向上させることができる。
【図面の簡単な説明】
【００１０】
【図１】本発明の実施形態に係る順番管理システム１０００の概略構成を示す図。
【図２】順番管理端末２００の主要構成を示すブロック図。
【図３】本発明の実施形態に係る順番管理システム１０００における順番待ちの受付登録処理のフローチャート。
【図４】本発明の実施形態に係る順番管理システム１０００における待ち項目指定画面を例示する図。
【発明を実施するための形態】
【００１１】
以下、本発明の実施形態について図面を参照しつつ詳細に説明する。なお、同一の要素には同一の符号を付し、重複する説明を省略する。
【００１２】
本実施形態では、旅行代理店の店舗Ａにおける順番待ち管理の例について説明するが、その他、病院、銀行、飲食店、役所、デパート、アミューズメント施設、イベント会場など、施設利用者の順番待ちの管理を行うあらゆる施設に適用できる。
【００１３】
図１は、本実施形態に係る順番管理システム１０００の概略構成を示す図である。図１に示すように、順番管理システム１０００は、管理センター等に設置された順番管理サーバ１００と、店舗（施設）の入口付近などに設置された順番管理端末２００を含んでいる。順番管理サーバ１００は、順番管理端末２００と通信ネットワークＮを介して接続されている。
【００１４】
順番管理サーバ１００は、順番管理端末２００を介して登録される順番待ちを施設毎に管理する。図１の例では、１つの施設の順番管理端末２００のみが図示されているが、順番管理サーバ１００は、実際には複数の施設に設置されている順番管理端末２００と通信ネットワークＮで接続され、各施設の順番待ちを管理している。順番管理サーバ１００は、汎用的なコンピュータによって構成され、そのコンピュータにおいて所定のサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１５】
順番管理サーバ１００は、施設ごとに順番管理端末２００を管理するための管理データベース（順番待ちリスト記憶部）１１０と、プロセッサ（順番待ちリスト更新部）１２０と、を備えている。管理データベース１１０は、クライアント管理テーブルＴＡ１と、ステータス管理テーブルＴＡ２、及び待ち項目管理テーブルＴＡ３を備えている。
【００１６】
クライアント管理テーブルＴＡ１には、施設毎に、順番管理端末２００に対して付与されている固有のＩＤとパスコード（アカウント）が登録されている。例えば、「店舗Ａ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば所定の条件に従い、複数のＩＤとパスワードを使い分けるようにしてもよい。
【００１７】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、待ち項目「北海道・東北」、ステータス「呼出」等の情報が含まれている。その他、氏名、連絡先のメールアドレス、電話番号などの情報も含むことができる。
【００１８】
ステータスには、順番到来前の状態である「待ち中」、順番が来たことを知らせた状態である「呼出中」、順番が来た者を実際に会場内に案内した状態である「案内済」、さらに順番待ちをキャンセルした状態である「取消済」等が含まれる。ステータスとしてどのような項目を設定するかは各施設の管理者等が適宜設定および変更可能となっている。待ち項目は利用者が順番待ちをする項目であり、後述するように受付登録時に選択される。
【００１９】
なお、順番待ちリストに含める情報は、各施設の管理者等が適宜設定および変更可能となっている。順番待ちリストの内容は、順番管理端末２００から送信される順番待ちリストへの新規登録情報、またはステータスの更新情報（詳細は後述）に基づいて更新される。
【００２０】
待ち項目管理テーブルＴＡ３には、施設ごとに設定されている、受付登録時に選択が可能な待ち項目の情報と、各待ち項目の現在の待ち時間の情報が登録されている。例えば、旅行代理店の店舗Ａの場合、旅行先によって受付窓口が分かれているため、利用者は待ち項目として旅行先の種類を選択する。ここでは、旅行先の種類として「北海道・東北」、「関東・北陸・東海」、「関西・中国・四国」、「九州・沖縄」が設定されている。なお、施設ごとの待ち項目は、例えば、システム導入の際に各施設で順番待ちの管理を行う管理者（例えば、店舗のオーナーなど）によって設定される。また、待ち項目は、必要に応じて随時変更することもできる。各待ち項目の現在の待ち時間は、あらかじめ設定された１組あたりの基準待ち時間に、各待ち項目の現在の待ち組数を乗じることにより順番管理サーバ１００が算出する。例えば、「北海道・東北」に既に２組の順番待ちが登録されている場合には、「北海道・東北」の現在の（３組目の）待ち時間は、１５（１組あたり待ち時間）×３（組）＝４５分となる。
【００２１】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００と連携して順番待ちを管理するためのコンピュータプログラム（順番管理アプリケーション）も実行する。
【００２２】
通信ネットワークＮは、順番管理サーバ１００と順番管理端末２００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２３】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。また、図１の例では、１つの順番管理端末２００のみを図示しているが、実際には、多数の施設に設置される順番管理端末２００が順番管理サーバ１００によって管理されている。
【００２４】
図２は、順番管理端末２００の主要構成を示すブロック図である。順番管理端末２００は、プロセッサ（待ち項目表示部、待ち項目指定部）２１０と、入力装置２１５と、表示装置２１６と、通信インタフェース２２０と、記憶資源２３０を備える。順番管理端末２００は、施設の利用者や従業者が直接タッチパネルなどの入力装置２１５を操作することで、順番待ちリストへの登録や更新等の入力を受け付ける。例えば、施設の従業者は順番待ちリストに新たに順番待ちの登録をするための入力や、順番待ちリストに登録されているステータスを更新するための入力を行う。
【００２５】
プロセッサ２１０は、算術演算、論理演算、ビット演算等を処理する算術論理演算ユニット（ＣＰＵなど）および各種レジスタから構成され、記憶資源２３０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２６】
入力装置２１５は、順番待ちリストへの受付や順番待ちリストからの消込み等の入力を受け付けるための各種操作ボタンやタッチパネル２１５ａを備えている。
【００２７】
表示装置２１６は、順番待ちリストや、受付画面やステータス管理画面を表示するための装置であり、例えば液晶ディスプレイにより構成される。
【００２８】
通信インタフェース２２０は、通信ネットワークＮに接続し、通信ネットワークＮを介して他の装置と通信をするためのハードウェアモジュールである。通信インタフェース２２０は、例えば、ＩＳＤＮモデム、ＡＤＳＬモデム、ケーブルモデム、光モデム、ソフトモデム等の変調復調装置である。
【００２９】
記憶資源２３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源２３０は、複数の物理デバイスを１つの論理デバイスにマッピングして構築してもよいし、１つの物理デバイスを複数の論理デバイスにマッピングして構築してもよい。
【００３０】
記憶資源２３０には、オペレーティングシステムプログラム、ドライバプログラム、各種データ等が格納される。ドライバプログラムとしては、例えば、通信インタフェース２２０を制御するための通信インタフェースドライバプログラム等がある。また、記憶資源２３０には、これら各種プログラムや各種データのほか、プロセッサ２１０が実行することにより、順番管理サーバ１００と連携して順番待ちを管理するためのコンピュータプログラム（順番管理アプリケーション）ＡＰ１が記憶されている。
【００３１】
（順番待ちの受付登録）
次に、順番待ちの受付登録処理について、図３のフローチャートを用いて説明する。本実施形態では、順番待ちの受付登録処理は、店舗に来店した利用者が順番管理端末２００を操作することにより行う。
【００３２】
順番管理端末２００は、通信インタフェース２２０を介して、順番管理サーバ１００からステータス管理テーブルＴＡ２に登録されている順番待ちリストに含まれる情報を受信する（ステップＳ３１）。
【００３３】
さらに、順番管理端末２００は、順番管理サーバ１００から、待ち項目管理テーブルＴＡ３に登録されている待ち項目と、各待ち項目の現在の待ち時間の情報を受信する（ステップＳ３２）。なお、各待ち項目の現在の待ち時間は、１組当たりの基準待ち時間と各待ち項目の現在の待ち組数を用いて順番管理端末２００において算出するようにしてもよい。
【００３４】
次に、順番管理端末２００は、順番待ちの受付をするための受付画面を表示装置２１６に表示させる（ステップＳ３３）。受付画面には、例えば、順番待ちリストの情報（順番待ちをしている者の受付番号と現在のステータス情報）が、受付をした順番に時系列に並べられた一覧が表示される。さらに、現在順番待ちをしている待ち組数なども表示される。
【００３５】
表示された受付画面に対して利用者が画面へのタッチなどの所定の操作入力を行うと（ステップＳ３４：ＹＥＳ）、順番管理端末２００は、待ち項目を指定するための待ち項目指定画面を表示装置２１６に表示させる（ステップＳ３５）。
【００３６】
図４は、待ち項目指定画面を例示する図である。順番管理端末２００は、順番管理サーバ１００から受信した各待ち項目の現在の待ち時間に基づいて、待ち時間が短い項目から順に表示する。例えば、各項目の待ち時間が、「北海道・東北」（６０分）、「関東・北陸・東海」（３０分）、「関西・中国・四国」（１５分）、「九州・沖縄」（４５分）の場合、図４に示すように、待ち時間の短いものから、「関西・中国・四国」、「関東・北陸・東海」、「九州・沖縄」、「北海道・東北」の順番で表示される。
【００３７】
順番管理端末２００は、利用者によって待ち項目へのタッチなどの選択操作が行われたことを検知すると（ステップＳ３６：ＹＥＳ）、受付完了画面を表示する（ステップＳ３７）。受付完了画面には、受付番号（待ち番号）や、現時点での待ち時間等が表示される。また、順番券を受け取るよう促すメッセージが表示され、利用者は、順番管理端末２００に接続されたプリンタから印刷される順番券を受け取ることができる。
【００３８】
順番券には、受付番号と対応付けられた二次元コードが印刷されている。利用者が自身の所持する携帯端末を利用して順番券に印刷された二次元コードを読み取ることで、携帯端末の表示装置に現在の順番待ち状況（現状の待ち組数や待ち時間など）が表示される。また、利用者が、二次元コードを読み込むことによって表示される案内にしたがってメールアドレスを入力することにより、順番が到来した際にメッセージを受信したり、順番が近づいたときにリマインドメールを受信したりすることができるようにしてもよい。
【００３９】
確定した新規登録情報は、順番管理端末２００から通信ネットワークＮを介して順番管理サーバ１００に送信される（ステップＳ３８）。順番管理サーバ１００は、ある施設から新規登録情報を受信すると、受信した新規登録情報に基づいて、その施設の順番待ちリストに順番待ちを１組新たに追加する処理を行い、ステータス管理テーブルＴＡ２を更新する（ステップＳ３９）。例えば、待ち項目として「関西・中国・四国」が選択された場合には、新たに、受付番号「５」、受付時刻「１４：３０」、待ち項目「関西・中国・四国」、ステータス「待ち中」のようなレコードが追加される。
【００４０】
（順番待ちリストの更新）
各施設の順番待ちリストの各レコードの内容は、施設の従業者が順番管理端末２００を用いて「取消」、「変更」、「呼出」、「案内」等の操作を行った際に更新される。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせた状態であることを意味し、「案内」は、順番が来た組に対して実際に対応を開始した状態であることを意味する。
【００４１】
従業者は、順番管理端末２００に表示された順番待ちリストの中から、更新対象の順番待ち組を選択し、選択した順番待ち組に対して「呼出」、「取消」、「変更」のいずれかの更新操作を行う。更新対象の順番待ち組を特定する情報（例えば受付番号「１」）と更新操作の情報（例えば「呼出」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「呼出」操作を行った場合には、受付番号「１」の順番待ち組のステータスが「呼出中」に更新される。
【００４２】
以上のように、本実施形態によれば、受付登録の際、待ち項目の指定画面において待ち時間が短い待ち項目ほど上位に表示されるようにすることで、待ち時間の短い待ち項目、すなわち選択率の低い待ち項目の選択率を高める効果が得られる。これにより、受付登録において、簡易な処理で待ち項目毎の売り上げや待ち時間を平準化し、サービスの利用効率を向上させることができる。また、各待ち項目の待ち時間は、順番待ちリストの情報を用いて、各待ち項目の順番待ち組数から算出できるので、順番待ちリストの情報を有効に活用することができる。
【００４３】
（待ち項目指定画面の設定変更）
上記の実施形態では、待ち項目の表示順序を待ち時間の長さに応じて決定しているが、待ち項目の表示方法を、施設の管理者等が必要に応じて変更できるようにしてもよい。例えば、初期状態では固定された順序で表示される設定とし、その他の表示方法として「待ち時間に基づく並べ替え」、「前日の売り上げに基づく並べ替え」、「ランダム」等を選択できるようにしてもよい。
【００４４】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００４５】
１０００…順番管理システム
１００…順番管理サーバ
１１０…管理データベース
１２０…プロセッサ
２００…順番管理端末
２１０…プロセッサ
２１５…入力装置
２１５ａ…タッチパネル
２１６…表示装置
２２０…通信インタフェース
２３０…記憶資源
ＴＡ１…クライアント管理テーブル
ＴＡ２…ステータス管理テーブル
ＴＡ３…待ち項目管理テーブル
Ｎ…通信ネットワーク
ＡＰ１…順番管理アプリケーション
【図１】
2018139055.tif 000003
【図２】
2018139055.tif 000004
【図３】
2018139055.tif 000005
【図４】
2018139055.tif 000006
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
施設における利用者の順番待ちを管理する順番管理システムであって、
施設毎に設けられ、当該施設の順番待ちの登録を受け付ける順番管理端末と、
前記順番管理端末を介した前記順番待ちの登録に基づいて、各施設の順番待ちの状況を管理する順番管理サーバと、を備え、
前記順番管理サーバは、
前記施設における順番待ち可能な待ち項目毎の順番待ち組数の情報を含む、順番待ち状況の情報を保持する順番待ちリスト記憶部と、
前記順番管理端末を介した前記順番待ちの登録に基づいて、待ち項目毎の順番待ち組数の情報を更新する順番待ちリスト更新部と、を備え、
前記順番管理端末は、
表示装置に、前記施設における順番待ち可能な待ち項目を選択するための、各待ち項目に対応した選択操作手段を表示する待ち項目表示部と、
前記選択操作手段に対する選択操作を受け付ける待ち項目指定部と、を備え、
前記待ち項目表示部は、前記順番管理サーバから取得した各待ち項目の現在の待ち時間の情報に基づいて、各待ち項目に対応した選択操作手段を待ち時間が短いものから順に並べて表示する順番管理システム。
【請求項２】
前記順番管理サーバは、
１順番待ち組あたりの基準待ち時間に、各待ち項目の現在の待ち組数を乗じることにより、各待ち項目の前記現在の待ち時間を算出する、請求項１に記載の順番管理システム。
【請求項３】
施設における利用者の順番待ちを管理する順番管理装置であって、
表示装置に、前記施設における順番待ち可能な待ち項目を選択するための、各待ち項目に対応した選択操作手段を表示する待ち項目表示部と、
前記選択操作手段に対する選択操作を受け付ける待ち項目指定部と、を備え、
前記待ち項目表示部は、各待ち項目の現在の待ち時間の情報に基づいて、各待ち項目に対応した選択操作手段を待ち時間が短いものから順に並べて表示する順番管理装置。
【請求項４】
施設における順番待ちを管理するコンピュータを、
表示装置に、前記施設における順番待ち可能な待ち項目を選択するための、各待ち項目に対応した選択操作手段を表示する待ち項目表示部と、
前記選択操作手段に対する選択操作を受け付ける待ち項目指定部と、して機能させ、
前記待ち項目表示部は、各待ち項目の現在の待ち時間の情報に基づいて、各待ち項目に対応した選択操作手段を待ち時間が短いものから順に並べて表示するプログラム。